(57)【要約】【課題】膜状材料で形成したチューブ状もしくは袋状パックの端部側に閉止部を生ぜしめる閉止構造であって、組み付けが簡単で、端部側の閉止部に対して、確実性かつ融通性のあるキャップ固着を可能にする閉止構造を得る。【解決手段】膜状材料によって構成したチューブ状もしくは袋状のパック１の端部側の閉止部分２に配置する閉止構造１１であって、閉止部分２は、結束部３に締め上げ、この結束部３を包囲するクリップ４により閉止し、結束部の遊端５を包囲するキャップ６をクリップ４に固着する閉止構造において、キャップ６とクリップ４との間に感圧性接着を生ずる接着剤１２を設け、好適には、接着剤１２を、シアノアクリレート接着剤とし、また接着剤１２を、キャップ６および／またはクリップ４の周りに広範囲に設ける。【選択図】図１
2006143332.tif 000002
【特許請求の範囲】
【請求項１】
膜状材料によって構成したチューブ状もしくは袋状のパック（１）の端部側の閉止部分（２）に配置する閉止構造（１１）であって、前記閉止部分（２）は、結束部（３）に締め上げ、この結束部（３）を包囲するクリップ（４）により閉止し、結束部の遊端（５）を包囲するキャップ（６）をクリップ（４）に固着する閉止構造において、前記キャップ（６）とクリップ（４）との間に感圧性接着を生ずる接着剤（１２）を設けたことを特徴とする閉止構造。
【請求項２】
前記接着剤（１２）を、シアノアクリレート接着剤とした請求項１記載の閉止構造。
【請求項３】
前記接着剤（１２）を、キャップ（６）および／またはクリップ（４）の周りに広範囲に設けた請求項１または２記載の閉止構造。
【発明の詳細な説明】
【技術分野】
【０００１】
本発明は、膜（フィルム）状材料によって構成したチューブ状もしくは袋状のパックの端部側の閉止部分に配置する閉止構造であって、前記閉止部分は、結束部に締め上げ、この結束部）を包囲するクリップにより閉止し、結束部の遊端を包囲するキャップをクリップに固着する閉止構造に関するものである。
【背景技術】
【０００２】
シール剤および接着剤のような化学的材料は、最近、膜（フィルム）状材料によって構成したチューブ状もしくは袋状のパックに充填される。このようなパックの端部側の閉止部分を閉止するため、この端部側のフィルム状材料を引き絞って結束部を形成し、この結束部の周りをクリップで留め合わせる。上述のシール剤および接着剤としては、例えば、ポリウレタン系、シリコン物質、射出結合モルタル等のような単独成分もしくは２成分物質がある。充填材料および、チューブ状の袋体に充填した物質の流動性成分の物理的挙動に基づいては、チューブ状袋体の結束した端部で漏れる恐れがある。さらに、充填材料から流動性成分が分離し、クリップ領域におけるチューブ状袋体のひだ部分から、毛細管現象により、チューブ状もしくは袋状のパックからの漏れが促進される。この現象は、粒子の粗い充填材料を有する物質の場合には一層顕著となる。チューブ状袋体に詰めた物質に基づいて、漏れだした物質は、例えば、周囲の環境を汚染することになる。さらに、パックした物質の保存性も低下する。
【０００３】
膜状材料のチューブ状もしくは袋状パックの結束部の領域に密封フィルムを設けるのもが知られている。（例えば、特許文献１参照。）この既知の技術には、膜状材料の外面における密封フィルムの付着が常には保証されないという欠点がある。
【特許文献１】独国実用新案第２９８０９５１４号公報
【０００４】
端部側の閉止部にキャップを設け、このキャップによって引き絞った結束部およびクリップを包囲するものが知られている。（例えば、特許文献２参照。）この技術の場合、キャップとクリップとの間に形状ロック連結を生ぜしめるため、これに適合するツールを使用して、クリップの領域においてキャップに対して点状にプレスする。しかし、この技術には、キャップのプレスの際に、チューブ状もしくは袋状パックの膜状材料を破損する恐れがあるという欠点がある。
【特許文献２】米国特許第３，３０８，９３６号明細書
【０００５】
ソーセージ用挽き肉もしくはパック詰めの内容物のためのソーセージ袋体またはこれに類似のフィルム状パックの端部側閉止部における堅固な閉止構造として、引き絞ってクリップにより閉止した結束部をキャップによって包囲し、このキャップを、クリップに設けた休止鼻状部もしくは溝に形状ロックにより錠止するようにしたものがある。（例えば、特許文献３参照。）しかし、この技術には、クリップの結束部の形状およびクリップの配置に正確に適合してクリップとの十分確実な連結を生ずるため、キャップを、適合形状にしなければならないという欠点がある。さらに、チューブ状もしくは袋状パックの膜（フィルム）状材料は、キャップの固定の際に損傷する恐れがある。
【特許文献１】独国特許公開第４０１９９３７号公報
【発明の開示】
【発明が解決しようとする課題】
【０００６】
したがって、本発明の目的は、膜（フィルム）状材料で形成したチューブ状もしくは袋状パックの端部側に閉止部を生ぜしめる閉止構造であって、組み付けが簡単で、端部側の閉止部に対して、確実性かつ融通性のあるキャップ固着を可能にする閉止構造を得るにある。
【課題を解決するための手段】
【０００７】
この目的を達成するため、本発明閉止構造は、キャップとクリップとの間に感圧性接着を生ずる接着剤を設けたことを特徴とする。
【発明の効果】
【０００８】
本発明閉止構造によれば、接着剤は、例えば、キャップの内面に設け、キャップを被せる際に、キャップとクリップとの間に付着するようにする。このとき、キャップおよびクリップは、一方では、接着剤の外面への付着、他方では内面への付着により、感圧および形状ロックにより相互に結合する。代案として、接着剤をクリップに設け、キャップを被せる際にキャップとクリップとの間に接着剤を付着させることもできる。端部側を引き絞り、クリップによって閉止した結束部からパック内容物が漏れ出す場合、少なくとも一部は、キャップに収容され、流出は回避される。
【発明を実施するための最良の形態】
【０００９】
単にキャップを被せる代わりに、結束部におけるクリップに対して回転して圧着させることもできる。クリップに対するキャップの十分な固着を生ずるため、キャップもしくはクリップに対して接着剤を点状に塗布するだけでも十分である。接着連結は、静的並びに動的な荷重によって有効となる。さらに、キャップもしくはクリップの外観および構造は変化させない。表面領域での結合および接着剤の弾性により、例えば、押圧結合の際に接着結合の振動減衰性が向上する。最適な接着剤を選択することにより、例えば、合成材料で形成したキャップと例えば、金属で形成したクリップとを相互結合することができる。本発明による閉止構造によれば、キャップの確実な固着が、輸送中およびチューブ状もしくは袋状パックに詰めた物質の使用にいたるまでの保存を保証し、組み立ての簡単さ、および使用に融通性がある。
【００１０】
適合する接着剤としては、例えば、物理的に凝結硬化する接着剤、例えば、溶媒を含んだ接着剤、分散接着剤、溶融接着剤、接触接着剤、拘束接着剤、および可塑性油がある。さらに、接着剤としては、化学的に硬化可能なもしくは嫌気的に硬化可能な接着剤があり、単独成分もしくは複数成分システムとして形成する、例えば、ポリウレタン接着剤がある。
【００１１】
好適な実施例においては、接着剤を、一般的に「瞬間接着剤」として知られているシアノアクリレート接着剤とする。この接着剤は、亀裂の隙間で重合化反応によって接着剤ポリマーとなり、極めて急速に重合化を生じ、キャップとクリップとの間に瞬間的な結合を生ずる。さらに、シアノアクリレート接着剤は、自動塗布に適合できる。
【００１２】
さらに、好適な実施例においては、接着剤をキャップおよび／またはクリップの周りに広範囲に設ける。これにより、キャップとクリップとの間の  確実な固着の他に、シール結合を生ずることができる。接着剤層は、流出するガスもしくは流動体のためのシール材として機能し、同時に結露の侵入およびこの結露による腐食を回避することができる。
【００１３】
次に、図面につき本発明の好適な実施例を説明する。
【実施例】
【００１４】
本発明による閉止構造１１は、膜（フィルム）状材料により構成した部分的に図示するチューブ状パックもしくは袋状パック１の端部側の閉止部分２に配置する。閉止部分２は、結束部３に締め上げ、この結束部３を包囲するクリップ４により閉止する。結束部の遊端５は、キャップ６により包囲し、このキャップ６は、接着剤１２によってクリップ４に固着する。接着剤１２は、シアノアクリレートの感圧性接着剤とする。
【００１５】
接着剤１２は、キャップ６の内面７に広範囲に塗布し、その後キャップ６を結束部３の周りに回転してクリップ４に押し付ける。
【００１６】
代案として、接着剤１２をクリップ４の外面８に塗布し、その後キャップ６を結束部３の周りに回転させてクリップ４に押し付けることもできる。
【図面の簡単な説明】
【００１７】
【図１】膜状材料により構成したチューブ状もしくは袋状パックの端部における閉止部分の一部を示す本発明による閉止構造の一部断面とする部分側面図である。
【符号の説明】
【００１８】
１  チューブ状パックもしくは袋状パック
２  閉止部分
３  結束部
４  クリップ
５  遊端
６  キャップ
７  キャップの内面
８  クリップの外面
１１  閉止構造
１２  接着剤
【図１】
2006143332.tif 000003